(57)【要約】【課題】  ミクロ単位の泡吐出が可能で、洗浄効果が高く、その弾力性のある泡状洗剤をブラシ毛に保たせることで逆手になり噴射し難い場所でも洗剤の塗布を楽にし、手への負荷が少なく、洗剤吐出口が邪魔にならず、洗剤が残り少でも吸い上げが容易な洗剤容器付き摺洗具と、前記摺洗具への洗剤の自動供給が可能な洗剤補給システムを提供する。【解決手段】  ミクロ単位泡発生装置１３と洗剤容器１２、外部にハンドル１６と泡吐出操作部２２、下部にブラシ毛等から成る摺洗体１１を備えた摺洗具で、泡吐出口２０は摺洗部の構成要素間に位置し、泡を毛束に付着できるノズル３６を有する。洗剤容器１２は受給器４０と摺洗部が略水平状態にある時残量少となった洗剤の常時溜まり部１９を有し、泡発生装置１３の洗剤吸入口２３が前記溜まり部１９に臨む。洗剤補給器５０は補給管６０を備え、前記受給器４０に装着でき洗剤の自動補給が可能である。【選択図】  図１
2009034499.tif 000002
【特許請求の範囲】
【請求項１】
ブラシ毛等の摺洗部を備えた摺洗体と洗剤容器とが組み合わされてなる洗剤容器付き摺洗具において、
摺洗体に、摺洗部の構成要素間から洗剤を吐出する洗剤吐出口が設けられる一方、洗剤容器にガスを要しないミクロ単位の泡発生装置と洗剤吐出操作部とが設けられ、洗剤吐出操作部を操作することにより、泡発生装置を介して洗剤吐出口からミクロ単位の泡状洗剤が摺洗部の構成要素間から吐出されるように構成されていることを特徴とする洗剤容器付き摺洗具。
【請求項２】
洗剤容器内に間仕切りを設けることによって、摺洗具を動かせた際に起こる液体の揺れを抑制し、手にかかる負荷を軽減する構成である請求項1に記載の洗剤容器付き摺洗具。
【請求項３】
洗剤容器は、その内底に、摺洗部が略水平状態にあるときに残量少となった洗剤が溜まる溜まり部があり、さらにその中心付近に常時溜まり部となる窪みが設けられ、泡発生装置の洗剤吸入口が前記常時溜まり部に臨む構成である請求項１又は２に記載の洗剤容器付き摺洗具。
【請求項４】
洗剤容器は、洗剤収容部として球状空間を有する球状容器である請求項１〜３のいずれかに記載の洗剤容器付き摺洗具。
【請求項５】
当該摺洗具を片手で保持するためのハンドルを上部に有し、ハンドルを片手で握った状態でその手のいずれかの指が届く範囲に洗剤吐出操作部を有する請求項１〜４のいずれかに記載の洗剤容器付き摺洗具。
【請求項６】
泡吐出口先端の孔の構造と角度を考慮し、吐出したミクロ単位の泡を摺洗部の毛束に付着させることができる機能をもった請求項１〜５のいずれかに記載の洗剤容器付き摺洗具。
【請求項７】
泡吐出口の先端を摺洗部台座の外部に突出しないように配置することで、作業における障害となる部分を軽減した請求項１〜６のいずれかに記載の洗剤容器付き摺洗具。
【請求項８】
洗剤容器内に外部と結合し洗剤を受給することが可能な受給管を設けた請求項１〜７のいずれかに記載の洗剤容器付き摺洗具と、前記受給管に結合し洗剤の補給をすることが可能な補給管を備えた専用洗剤補給器を構成し、双方を結合することで、双方の洗剤の残留水位の高低差によって自然法則のみで洗剤の補給がなされ、摺洗具側の洗剤が一定量になると休止する機能を備えた洗剤容器付き摺洗具用洗剤補給システム。 
【請求項９】
洗剤容器内に外部と結合し洗剤を受給することが可能な受給管を有すほか袋状のパーツを組み込むことで補給によって注入された洗剤が一定量になったのを感知する仕組みを備えた請求項１〜７のいずれかに記載の洗剤容器付き摺洗具と、前記受給管に結合し洗剤の補給をすることが可能な補給管を備えた専用洗剤補給器を構成し、双方を結合することで、双方の洗剤の残留水位の高低差によって自然法則のみで洗剤の補給がなされ、摺洗具側の洗剤が一定量になると休止する機能を備えた洗剤容器付き摺洗具用洗剤補給システム。
【発明の詳細な説明】
【技術分野】
【０００１】
本発明は摺洗具、例えば浴槽、浴室の壁面や衣類等の洗浄に好適な洗剤容器付き摺洗具と、その摺洗具への洗剤の自動供給が可能な洗剤補給システムに関する。
【背景技術】
【０００２】
一般家庭では、浴槽や流し台を洗浄する際に、いわゆるスポンジたわしや、摺洗ブラシ等の摺洗具が用いられている。このような摺洗具を使用する場合、洗剤を摺洗具に含ませたり、あるいは被摺洗物に洗剤を直接かけておいてから摺洗作業が行われるが、作業中に洗剤が足りなくなってくると、いったん作業を止めて、洗剤容器から洗剤を補充しなければならず、それが面倒であるし、作業能率も低下する。
【０００３】
そこで、最近では、摺洗具と洗剤容器とが一体になった洗剤容器付き摺洗具が種々提案されているたとえば特許文献１。
【０００４】
【特許文献１】特開２００５−６７０１号公報
【０００５】
前記特許文献１に記載されている洗剤容器付き摺洗具は、摺洗体と、該摺洗体に取り付けられ洗剤容器を有する把持部と、前記洗剤容器から洗剤を吐出させるディスペンサーとを備えているので、摺洗作業中にディスペンサーを操作することにより、摺洗具外部に洗剤を吐出することができ、摺洗作業が中段されることがないため作業能率が向上する。
【０００６】
しかも、この洗剤容器付き摺洗具は、摺洗体と洗剤容器とが着脱自在に連結されているので、摺洗体のブラシ毛やスポンジが磨耗した場合には、交換できるという利点を有している。
【０００７】
しかしながら、この洗剤容器付き摺洗具は、例えば浴槽の内底隅部を洗う場合には、摺洗体の外に向かって突出しているディスペンサーの洗剤吐出口が邪魔になるので、摺洗部の角度を変えたり、摺洗具を持ち替えたりしなければならない。また吐出口から噴射した洗剤は、摺洗部から離れるので、確実に被摺洗物にまで届かないことがあり、摺洗に使用されない洗剤のロスが不可避的に生じるばかりか、このロスを減らすために、摺洗具全体を大きく動かさなければならない。さらに、標準的なトリガーボトルをそのまま使用している為、洗剤を満タンにした場合不必要な洗剤まで多く保有して使うことになるので、摺洗具自体が重く使い辛い。また洗剤の残りが少なくなった際、洗剤を吸い上げる為には摺洗具の角度が限定されるばかりでなく、例えば天井や浴槽の手前など、摺洗具の上下を維持したまま噴射することが困難な場所へは噴射がさせにくく不便である。
【発明の開示】
【発明が解決しようとする課題】
【０００８】
本発明は、上述の事情にて鑑みてなされたもので、摺洗時に洗剤吐出口が邪魔にならず、しかも洗剤を摺洗体から離れた不本意な場所に飛散させることなく効率的に吐出することができ、洗剤の揺れによる手への負荷も少なく、洗剤の残量や被摺洗場所に関わらず洗剤の吸い上げと使用が簡単で、洗剤補充の手間も軽減した使用性、経済性に優れた洗剤容器付き摺洗具を提供することを目的とする。本発明の他の目的は、その摺洗具への洗剤の補給を簡単に行える洗剤補給システムを提供することにある。
【課題を解決するための手段】
【０００９】
上記目的を達成する為に、本発明に係わる洗剤容器付き摺洗具は、ブラシ毛等の摺洗部を備えた摺洗体と洗剤容器とが組み合わされてなる洗剤容器付き摺洗具において、摺洗体に摺洗部の構成要素間から洗剤を吐出する吐出口が設けられる一方、洗剤容器に、ミクロ単位の泡発生装置と洗剤吐出操作部とが設けられ、洗剤吐出操作部を操作することにより、泡発生装置を介して洗剤吐出口から泡状洗剤が摺洗部の構成要素間に吐出されるように構成されている。
【００１０】
本発明に係わる洗剤容器付き摺洗具においては、洗剤容器に、ミクロ単位の泡発生装置と洗剤吐出操作部とが設けられている。洗剤吐出操作部を操作することにより、摺洗部の構成要素間からミクロ単位の泡状洗剤が吐出される。このため、ミクロ単位の泡状洗剤が洗剤吐出口から遠くに飛散することなく摺洗部に付着し、吐出洗剤の効率的使用が可能になる。また、摺洗時に吐出口が邪魔にならない。
【００１１】
前記洗剤容器は、内部に液体の動きを抑制する間仕切りが設けられている。この間仕切りにより、摺洗具を動かした際の洗剤の揺れが抑制され、作業中手にかかる負荷を軽減できる。
【００１２】
洗剤容器は、その内底に、摺洗部が略水平状態にあるときに、残量少となった洗剤が溜まる溜まり部があり、その中心付近にさらに洗剤の常時溜まり部となる窪みが設けられる一方、泡発生装置の洗剤吸入口が前記常時溜まり部に臨むように構成されていることが好ましい。この構成によると、洗剤容器内の洗剤が残り少なくなった場合も、摺洗具が略水平状態にある時は摺洗具の少々の角度変更に関係なく、常時溜まり部に常に洗剤が溜まるように構成されており、泡発生装置の洗剤吸入口が上記洗剤常時溜まり部内の洗剤に挿入され続ける。  
【００１３】
洗剤容器は又、液体の揺れを抑制する他の手段として、洗剤収容部として球状空間を有する球状容器が好ましい。この構成によると、摺洗具を水平状態で使用しても傾けて使用しても、容器内の洗剤の重心位置が変わらない。このため摺洗具の使用角度による操作上の違和感がなくなる。また、洗剤収容部の下半部が下向きに湾曲する半球状に形成され、その中心付近に泡発生装置の吸入口が入る窪みを設けることにより、効果的な洗剤の常時溜まり部が形成される。
【００１４】
洗剤容器の大きさは、従来のものと比べて比較的小さくすることが好ましい。これにより洗剤を満タンに含んだ状態でも摺洗具の重量が軽くなり、作業が楽になる。
【００１５】
本発明に関わる洗剤容器付き摺洗具は又、当該摺洗具を片手で保持するためのハンドルを上部に有し、ハンドルを片手で握った状態でその手のいずれかの指で楽に操作できる部分に洗剤吐出し操作部を有する構成が好ましい。この構成によると、片手で摺洗具を操作しつつ、洗剤容器内の泡発生装置を操作することができる。
【００１６】
摺洗部の構成要素間に臨んでいる洗剤吐出ノズルの先端部には、洗剤吐出方向の選択ができる切替ノズルを設けるか、洗剤吐出ノズルの先端を摺洗部台座に設けられた泡吐出用孔に固定できる仕組みが望ましい。切替ノズルの場合は泡を一方向へ飛ぶようにして噴射するか、泡を摺洗部の毛束等にまとわりつくようどちらかに選択でき、毛束等にまとわりつくよう選択した場合は、スプレー方式などと違い、逆さになったり遠くて泡の届きにくい場所でも、毛束に保った泡で洗浄が可能である。摺洗具台座に固定した場合は、洗剤は泡吐出用孔を通って毛束に吐出され、吐出ノズルが外部へ突出することが一切ない為さらに使い勝手が良い。
【００１７】
また本発明に係わる洗剤補給器の補給器本体は、液体洗剤を保有できるタンクと、上記摺洗具に結合できる補給管とを有している。一方で上記摺洗具洗剤容器には、上記洗剤補給器本体と結合して洗剤の受給が可能な受給管が備わっている。補給器本体に摺洗具が装着されると、洗剤の自動補給が行われ、摺洗具の洗剤が一定量になると補給がストップする。これにより上記摺洗具への洗剤の補充が楽になる。
【００１８】
この洗剤補給器は浴槽の壁やバー等に固定したり、卓上に置くことが可能で、洗浄作業が終われば簡単に設置をするだけで、洗剤の補充を自動で終え、そのままの状態で保管しておけるので、摺洗具と補給器本体を共に整頓できるという利点もある。
【発明の効果】
【００１９】
本発明に係わる洗剤容器付き摺洗具は洗剤吐出操作部を操作することにより、ミクロ単位の泡発生装置を介して洗剤吐出口からふっくらしたクリーム状のミクロ単位の泡状洗剤を摺洗部の構成要素間に吐出し、洗剤を洗剤吐出口から遠くに飛散させることなく摺洗部に付着させ得る。したがって、被摺洗物に対して、確実にミクロ単位の泡状洗剤を用いた摺洗を行うことができることはもとより、ミクロ単位の泡であるため被摺洗部に洗剤を素早く効率良く馴染ませることができ、洗剤を効果的に且つ経済的に用いた摺洗を行える。
【００２０】
洗剤吐出口が摺洗部の構成要素間から洗剤を吐出するように摺洗体に設けられているので、作業中は被摺洗物によって角度を変えたり持ち替えたりする必要がなく摺洗具の角度はそのままで洗剤を噴射でき、吐出口が前方にあるような場合とは異なり邪魔になることもない。又泡吐出ノズルの先端が台座から一切突出しないように取り付けることも可能で、作業により被摺洗物を傷つけたりするおそれも無い。
【００２１】
洗剤容器内に間仕切りを設けた場合は、摺洗具を動かした際の容器内の洗剤の揺れを抑制することができ、作業中手にかかる負荷を軽減することができる。又洗剤容器が球状の場合は、容器内に収容された洗剤の重心位置が変わらない為、摺洗具から受ける負荷が摺洗具の使用角度に関係なく一定であり、使用感が良好である。
【００２２】
洗剤容器の洗剤収容部の内底溜まり部付近に泡発生装置の吸入口の先端が入る窪みがある場合は、摺洗部が略水平状態にあるときに残量少となった洗剤が貯まる常時溜まり部となる一方、泡発生装置の洗剤吸入口が前記常時溜まり部に臨むものとされている場合には、摺洗具を略水平状態にして摺洗する際に、全体を傾けたりすることなく洗剤を吸入し吐出することができ、使い勝手が良い。
【００２３】
洗剤吐出ノズルの先端に洗剤吐出方向の切り替えノズルを設けたり、台座の泡吐出用孔を毛束方向に設計した場合は、泡を摺洗部の毛束等にまとわりつくように吐出できる為、洗剤が少なくなった際、天井など逆さに噴射しなければならない場所でも、楽な角度でレバー操作し、摺洗部に泡を保たせ、その泡を使ってより様々な場所の洗浄が容易になる。
【００２４】
上記洗剤容器付き摺洗具に、専用の洗剤補給器を設けることにより、摺洗具を補給器本体に装着することで摺洗具側へ洗剤の自動補給ができ、摺洗具側の洗剤が一定量になると補給を休止する。摺洗具には１回の清掃に必要な程度の洗剤が保有できればよく、本体が軽く作業が楽である。洗剤の補給は、摺洗具を補給器本体に装着するだけか、装着してレバーを下げるだけで良く、補充の煩わしさを回避している。
【００２５】
補給器のタンクへ洗剤を継ぎ足す際は、タンクの容量が市販されている詰め替え用洗剤の一般的な容量（300〜350ml）程度に相当する大きさに設計されているので、一度で詰め替えきることができ、また上部に大きめの注入口も備わっているので、注ぎやすく便利である。
【００２６】
摺洗具を補給器本体に装着したまま放置しておけるので、両者の整理整頓に好適である。
【発明を実施するための最良の形態】
【００２７】
以下、本発明の実施例を図面を参照して具体的に説明する。図1は本発明の第１実施形態を示す洗剤容器付き摺洗具の斜視図、図２は側面図である。また、図３は平面図、図４は底面図、図５は洗剤吐出ノズル先端と切替ノズルの拡大図、図６は図５の切替ノズルを９０度捻った状態の図である。
【００２８】
第1実施形態の洗剤容器付き摺洗具は、上部に操作用のハンドルを備えた本体１０と、本体１０の底面に脱着可能に取付けられた摺洗体１１とから構成されている。本体１０は樹脂ケースからなり、内部に洗剤容器１２と、これに付設されたミクロ単位泡発生装置１３を備えている。
【００２９】
本体１０は、アイロンの如き外形を有した樹脂ケースであって、上部に一体形成されたハンドル１６を有している。ハンドル１６は、片手で掴むのに適するように、本体１０の前面上部から後方に延出する略Ｌ状に形成されており、その付け根の左前方には、ミクロ単位の泡発生装置１３の操作部が突出する開口部１７が設けられている。
【００３０】
洗剤容器１２は、全体が略々球形に形成された中空体であり、本体１０内の中央部から後部にかけて配置され固定されている。洗剤容器１２の後部上面には、本体１０を貫通してキャップ付き開口部１４が設けられており、キャップを開けて開口部１４から洗剤が洗剤容器１２に注ぎ込まれる。洗剤容器１２の内部には間仕切り２７が設けられており、この間仕切り２７には複数の隙間が配置され容器全体で洗剤を保有できる設計になっている。洗剤容器１２の下部は、全体が球形に形成されていることにより、必然的に内底に、摺洗部が水平状態にある時に残量少となった洗剤が溜まる洗剤溜まり部１８を有することになり、さらにその中心部付近に、泡発生装置の吸入口の先端が挿入できる大きさの窪みである常時貯まり部１９がある。
【００３１】
ミクロ単位泡発生装置１３は、洗剤容器１２の前部に取付けられている。この泡発生装置１３は、洗剤容器１２の前側に水平に取付けられた本体１５と、本体１５から前方へ逆Ｌ状に突出した洗剤吐出口としての吐出ノズル２０と、本体１５から後方に延出した洗剤吸い込みノズル２１と、洗剤吐出し操作部である操作レバー２２とを備えている。
【００３２】
泡発生装置１３の本体１５は周知の泡発生器であって例えば非特許文献１参照、操作レバー２２を後方へ操作することにより、洗剤容器１２内を加圧し、その圧力によって洗剤容器１２内の洗剤を吸い込みノズル２１から吸い込むと共に、吸い込んだ洗剤を容器内の空気と混合してミクロ単位の泡にし、吐出ノズル２０から吐出する。洗剤操作部であるレバー２２は、本体１０の開口部１７から上方へ突出しており、本体１０のハンドル１６を片手で掴んだ状態で親指等が掛かるように後方へ傾斜している。
【００３３】
【非特許文献１】http://www.buyer-s.com/awa/index.html
【００３４】
泡吐出操作が終わると、操作レバー２２は図示されないスプリングにより元の位置に自動復帰する。このとき、図示されない空気孔から洗剤容器１２内へ外部空気を送り込み、次の泡吐出操作に備える。
【００３５】
吐出ノズル２０は、後で詳しく説明するが、先端の垂直部が摺洗体１１のノズル用孔３０から突出してブラシ毛間に位置している。洗剤吸い込みノズル２１は、先端が洗剤容器１２の下部に形成された常時溜まり部１９に臨んでいる。
【００３６】
摺洗体１１は、板状の台座３１の裏面に、ブラシ毛からなる摺洗部３２を備えている。摺洗体１１の摺洗部３２は、多数のブラシ毛が所定群ごとに台座３１の裏面に植毛されて形成された多数の毛束３３ａ、３３ａ…からなる。摺洗体１１の台座３１は、本体１０の底面に複数のフック３４により脱着可能に連結されている。しだがって、毛束３３ａ、３３ａ…が磨耗したり、減数したりした場合には、摺洗体１１を本体１０から取り外して、新品のブラシ毛が植毛されている摺洗体１１に付け替えることができる。
【００３７】
摺洗体１１の台座３１には、泡発生装置１３の洗剤吐出口としての吐出ノズル２０が突出するノズル用孔３０が設けられている。このノズル用孔３０は、台座３１のブラシ毛非植毛部位に設けられており、ここでは台座３１の前部に設けられている。吐出ノズル２０の先端の垂直部が摺洗体１１のノズル用孔３０から突出してブラシ毛に位置していることは前述したとおりである。
【００３８】
吐出ノズル２０垂直部の最先端には、泡吐出方向を選択できる切替ノズル３６が備えられている。この切替ノズル３６は吐出ノズル２０先端の外輪に沿って設けられ、円筒形で垂直軸に手で回転させることができる。この切替ノズル３６には側面と底面に泡吐出用孔３７が設けられ、一方吐出ノズル２０の最先端部にも側面と底面両方に泡吐出用孔３５が設けられている。この切替ノズル３６を回転させるごとに、吐出口が側面か底面のどちらかだけが開通するようにできており、泡を吐出口より切替ノズル３６を通じて、摺洗部の下方に一方向に飛ぶように吐出するか、横及び斜め下方に吐出し摺洗部の毛束３３にまとわりつくよう、どちらかに選択できる。
【００３９】
上記構成を有する第１時実施形態の洗剤容器付き摺洗具は、以上の説明から理解されるように、洗剤容器１２に液体洗剤が収容されている状態で、本体１０のハンドル１６をもち、摺洗体１１の摺洗部３２で対象物を摺洗具する。ハンドル１６を持ったまま、親指等で操作レバー２２を手前へ引くと、容器内が加圧されて、ミクロ単位泡発生装置１３の吸い込みノズル２１から本体１５内に液体洗剤が内に吸い込まれると共に、吸い込まれた液体洗剤が、ふっくらしたクリーム状のミクロ単位の泡となって吐出ノズル２０から吐出される。
【００４０】
操作レバー２２は、図示されないスプリングに付勢されて元の位置へ自動復帰する。操作レバー２２の引き操作を繰り返すことにより、所定量のミクロ単位の泡が、吐出ノズル２０から摺洗体１１の摺洗部３２の下方に突き出したノズル先端から吐出される。このミクロ単位の泡は、吐出ノズル２０先端の切替ノズル３６の向きを切り替えることによって、泡の吐き出す方向を、摺洗部の下方にするか、もしくは摺洗部３２の毛束３３ａにまとわりつくように吐出するかを選択できる。
【００４１】
このように第１実施形態の洗剤容器付き摺洗具では、洗剤容器１２内の液体洗剤がふっくらしたクリーム状のミクロ単位の細かな泡となって摺洗部３２の下方もしくは摺洗部３２を構成する毛束３３ａの間に、毛束３３ａにまとわりつくように吐出されるため、液体洗剤のまま、或いはミスト状で吐出される場合と異なり、摺洗部３２から遠く離れることがないので、洗剤を不本意に被摺洗物以外にかけてしまうといったロスも生じない。また泡なので洗剤を被摺洗部に無駄なく効率良く馴染ませることができる。
【００４２】
洗剤容器１２は、間仕切り２７を有することによって洗剤の揺れを抑制することができ手にかかる負荷を軽減できるほか、洗剤容器１２が球状の場合は容器内の液体洗剤の重心が一定し、摺洗時の揺れによって液体洗剤がいたずらに揺れ動くことがないため、いずれも快適な摺洗作業が行える。洗剤容器１２内の洗剤は、残り少なくなってくると、摺洗具が略水平状態にあるとき、集中的に洗剤溜まり部１８に溜まり、さらに摺洗具の少々の角度変更に関係なく常時貯まり部１９を常に満たすことになる。この常時貯まり部１９に泡発生装置の吸入口２３が臨んでいるため、残り少なくなった洗剤を常に吸い上げることができ、使い勝手が良い。
【００４３】
また、吐出ノズル２０が摺洗体１１の前方など外部に突出していないので、浴槽の内部隅部を摺洗する場合にも邪魔にならず、その際に摺洗具の角度を変えたり、持ち替えたりすることも不要となり、摺洗作業を能率良く行うことができる。摺洗体１１の台座３１下部からも極力突出しないように構成されており、被摺洗物を傷つけるおそれも少ない。
【００４４】
上記吐出ノズル２０先端の切替ノズル３６によって、泡の吐出方向を摺洗部の下方のほか、摺洗部の毛束３３ａにまとわりつくようにもできるため、例えば洗剤を添付しにくい天井や浴槽の内側といった場所でも、楽な角度で摺洗具のレバー２２を操作し、その摺洗部の毛束3３ａに保たれた泡で洗浄ができる。常時摺洗具の角度を無理に維持しながらレバー操作をする必要がなく、特に洗剤が残り少なくなった場合は、摺洗具の角度を意識する必要が増えるのでその効果を発揮する。
【００４５】
図７は本発明の第２実施形態を示す洗剤容器付摺洗具の左側面図、図８は右側面図、図９  は底面図である。
【００４６】
第2実施形態の洗剤容器付き摺洗具は、第１実施形態の洗剤容器付き摺洗具と比べて、ミクロ単位の泡発生装置１３の洗剤吐出操作部が相違する。この操作部は、第１実施形態の摺洗具では、操作レバー２２で洗剤容器１２内を加圧する構成であった。これに対し、第２実施形態の摺洗具では、この操作部は、本体内の洗剤容器１２の一部分で構成された突出部２６である。突出部２６は、本体１０内の洗剤容器１２の上部に垂直に一体形成された蛇腹構造の伸縮体であり、本体１０のハンドル１６を片手で掴んだ時に親指が当たるようにハンドル１６の付け根部に同部を貫通して垂直に設けられている。この突出部２６は、泡発生装置１３のポンプを兼ねている。
【００４７】
泡発生装置１３の本体１５は周知の泡発生装置であって、突出部２６を内側へ押し込むことにより、洗剤容器１２内を加圧し、その圧力によって洗剤容器１２内の洗剤を吸い込みノズル２１から吸い込むと共に、吸い込んだ洗剤を容器内の空気と混合してミクロ単位の泡にし、吐出ノズル２０から吐出する。泡吐出作業が終わると、突出部２６は自身の復元力により元の伸長状態に自動復帰する。この時、図示されない空気孔から洗剤容器１２内へ外部空気を送り込み、次の泡吐出操作に備える。
【００４８】
第２実施例の洗剤容器付き摺洗具は、第１実施例と比べてブラシ板の台座３１の内部構造も相違する。第１実施例ではブラシ板の台座３１に泡発生装置の吐出ノズル用孔３０が設けられており、この吐出ノズル用孔３０から吐出ノズル２０の先端がブラシ毛間に臨んでいる構成であった。しかし第２実施例では、吐出ノズル用孔３０に泡発生装置の吐出ノズル２０の先端が固定できるよう双方に溝が設けられ固定される仕組みで、台座の吐出ノズル用孔３０はこの溝部分から下部が複数に枝分かれして台座３１の外部へ臨んでいる。吐出された泡は、吐出ノズル２０を通りこの吐出ノズル用孔３０の複数の先端３８から外部へ吐出され、毛束に付着する。
【００４９】
洗剤吸い込みノズル２１が、先端が洗剤容器１２の下部に形成された洗剤の常時溜まり部１９に臨んでいること、ブラシ板は交換できることなどは、第1実施形態と同様である。
【００５０】
第２実施形態の洗剤容器付き摺洗具でも、洗剤容器１２内の液体洗剤がふっくらしたクリーム状のミクロ単位の細かな泡となって摺洗部３２を構成する毛束３３ａの間から摺洗体の下方、もしくは毛束３３ａにまとわりつくように吐出されるため、液体洗剤のまま、或いはミスト状で吐出される場合と異なり、摺洗部３２から遠く離れることがないので、洗剤を不本意に被摺洗物以外にかけてしまうといったロスも生じない。また泡なので洗剤を被摺洗部に無駄なく効率良く馴染ませることができる。
【００５１】
洗剤容器１２内の洗剤は、残り少なくなってくると、少なくとも摺洗具が略水平状態にある時は常時貯まり部１９を常に満たし、この常時貯まり部１９に泡発生装置の吸入口２３が臨んでいるため、残り少なくなった洗剤を常に吸い上げることができ、使い勝手が良い。また球状であることから洗剤容器１２内の液体洗剤の重心が一定し、摺洗時の揺れによって液体洗剤がいたずらに揺れ動くことがなく、快適な摺洗作業が行える。
【００５２】
また吐出ノズル２０が摺洗体１１の前方など外部に突出していないので、浴槽の内底隅部を摺洗する場合にも邪魔にならず、その際に摺洗具の角度を変えたり、持ち替えたりすることも不要となり、摺洗作業を能率良く行うことができる。
【００５３】
吐出した泡を摺洗部の毛束３３ａにまとわりつくようにできるため、洗剤を添付しにくい天井や浴槽の内側といった場所でも、楽な角度で摺洗具のレバー２２を操作し、摺洗部の毛束３３ａに保たれた泡で洗浄ができる。特に洗剤が残り少なくなった場合にその効果を発揮する。
【００５４】
図１０は本発明の第３実施形態を示す洗剤容器付き摺洗具の斜視図、図１１は同摺洗具の側面図である。
【００５５】
第３実施形態の摺洗具は、第１実施形態の摺洗具及び第２実施形態の摺洗具と比べて、本体10の構造が大きく相違している。また、洗剤吐出操作部、及び泡吐出口の構造も相違している。
【００５６】
第３実施形態の摺洗具では、ブラシ毛からなる摺洗部32を備えた摺洗体11に、洗剤容器12が連結体28にて連結されており、洗剤容器12と連結体28とで前記本体10が構成されている。連結体28は、洗剤容器12を保持する凹所を上面に有しており、洗剤容器12の下部が該凹所に嵌め込まれている。
【００５７】
洗剤容器12は、全体が略々球形に形成された中空体で、その下部が連結体28の凹所に嵌め込まれている。洗剤容器12の上部には、片手で掴むのに適した形状のハンドル16が一体形成されており、その近傍、すなわちハンドル16を片手で掴んだ時に親指が当たる位置に吐出操作部としてのプッシュボタン26が突設されている。この吐出操作用プッシュボタン26は、スプリング29により常に抜脱方向に付勢されており、泡発生装置13のポンプを兼ねている。
【００５８】
洗剤容器12には、プッシュボタン26の前方に位置して、開閉自在なキャップ付きの開口部14が設けられている。洗剤容器12の下部は、全体が球状に形成されていることにより、必然的に内底に摺洗部が略水平状態にある時に残量少となった洗剤が常に溜まる常時溜まり部19を有することになる。この洗剤常時溜まり部19に臨む吸い込みノズル21が、ミクロ単位泡発生装置13の本体15に連結されている。
【００５９】
洗剤吐出ノズル20には、先端に脱着可能な吐出口キャップ24が設けられ、吐出ノズル20と吐出口キャップ24の両者で、摺洗部台座31のノズル用孔30部分で台座31を挟み、吐出ノズル20と台座31及び吐出口キャップ24の三者が固定されるように取り付けられている。台座を新品と交換する際は、吐出口キャップ24を外すと台座を取り外せる仕組みである。
【００６０】
第３実施形態の摺洗具10は、洗剤容器12に液体洗剤が収容されている状態で、プッシュボタン26を押し下げると、容器内が加圧されて、ミクロ単位泡発生装置13の吸い込みノズル21から本体15内に液体洗剤が吸い込まれると共に、吸い込まれた液体洗剤がミクロ単位の泡となって吐出ノズル20先端の吐出口キャップ24から吐出される。
【００６１】
プッシュボタン26は、バネ29に付勢されて元の突出状態に復帰する。プッシュボタン26の押し下げ操作を繰り返すことにより、所望量のミクロ単位の泡が、吐出ノズル20先端の吐出口キャップ24から摺洗体11の摺洗部32を構成する毛束33ａの間に、毛束33aにまとわりつくように吐出される。このため、液体洗剤のまま或いはミスト状で吐出される場合と異なり、摺洗部32から遠く離れることがないので、不本意に被摺洗物以外に洗剤をかけてしまうことがない。また、吐出ノズル20が摺洗体11の外部に突出していないので、浴槽の内底隅部を摺洗する場合にも邪魔にならず、その際に摺洗具の角度を変えたり、持ち替えたりすることも不要となり、摺洗作業を能率良く行うことができる。
【００６２】
洗剤容器12内の洗剤は、残り少なくなってくると、自動的に洗剤常時溜まり部19に溜まるので、少なくとも摺洗具を水平に保ったまま摺洗作業を行う場合には、摺洗具の角度を変えることなく残り少なくなった洗剤を用いることができ、使い勝手が良い。また、球状であることから洗剤容器12内の液体洗剤の重心が一定し、摺洗時の揺れによって液体洗剤がいたずらに揺れ動くことがなく、快適な摺洗作業が行える。
【００６３】
第３実施形態の洗剤容器付き摺洗具は、泡発生装置１３と突出部ボタン２６を有した洗剤容器部分が、摺洗体１１を含む本体１０にアタッチメント的に取り付けられており、摺洗部３２がブラシ毛に限らず様々な種類がある場合などに、両者の組み合わせをより任意で自由に選択しやすい構造になっている。
【００６４】
第４実施形態の洗剤容器付き摺洗具は、洗剤容器１２内に受給管４０を備え、洗剤を補給できる補給器本体５０と接続することで自動で洗剤を補充できる仕組みを持ち合わせた仕様である。図１２は本発明の第４実施形態を示す洗剤容器付き摺洗具を専用洗剤補給器に装着した状態の正面図、図１３は図１２の内部図、図１４は洗剤補給器本体の正面図、図１５は洗剤容器付き摺洗具の側面図、図１６は同摺洗具の平面図、図１７は洗剤補給器本体の右側面図、また図１８は受給管と補給管の先端の拡大図、図１９は受給管に補給管の先端を装着した際の拡大図である。  
【００６５】
第４実施形態の洗剤容器付き摺洗具は、上部に操作用のハンドル１６を備えた本体１０と、本体１０の底面に脱着可能に取付けられた摺洗体１１とから構成されている。本体１０は樹脂ケースからなり、内部に洗剤容器１２と、これに付設されたミクロ単位泡発生装置１３を備えている。
【００６６】
本体１０はアイロンの如き外形を有した樹脂ケースであって、上部に一体形成されたハンドル１６を有している。ハンドル１６は、片手で掴むのに適するように、本体１０の前面上部から後方に延出する略Ｌ状に形成されており、その付け根の左前方には、ミクロ単位の泡発生装置１３の操作部が突出する開口部１７が設けられている。
【００６７】
洗剤容器１２は、後部が略々球形に形成された中空体であり、本体１０内の中央部から後部にかけて配置され固定されている。洗剤容器１２の後部には、本体１０を貫通して洗剤受給管４０が設けられており、補給器本体５０と接続することで洗剤が補給される仕組みである。洗剤容器１２の下部は、全体が球形に形成されていることにより必然的に内底に、摺洗部が略水平状態にある時に残量少となった洗剤が溜まる洗剤溜まり部１８を有し、さらにその中心部付近に、泡発生装置の吸入口２３の先端が挿入できる大きさの窪みである常時溜まり部１９がある。
【００６８】
ミクロ単位泡発生装置１３は、前記実施形態と同様に洗剤容器１２の前部に取付けられ、この泡発生装置１３は、洗剤容器１２の前側に水平に取付けられた本体１５と、本体１５から前方へ逆Ｌ状に突出した洗剤吐出口としての吐出ノズル２０と、本体１５から後方に延出し前記洗剤常時溜まり部１９に臨んでいる洗剤吸い込みノズル２１と、洗剤操作部であるレバー２２を備えている。
【００６９】
泡発生装置１３本体１５の機能や、操作レバー２２がハンドル１６を片手で掴んだ状態でいずれかの指が届く位置にあること、脱着可能な摺洗体１１があり、泡吐出ノズル２０の先端が摺洗体１１の台座３１を貫通して摺洗部３２の毛束３３a間に位置していること、泡吐出ノズル２０の先端には切替ノズル３６が設けられていることなどは第１実施形態と同様である。
【００７０】
また同摺洗具には補給器本体５０に装着した際、摺洗具を本体に固定するツメ部となり得るよう、本体１０の側面に、スプリングにより内外への伸縮運動が可能なU字型凸部２５が設けられている。加えて摺洗体台座３１の側面にも、補給器本体５０の凸溝５７が噛み合うように設計された凹溝４７がある。
【００７１】
第４実施形態の洗剤容器付き摺洗具の洗剤容器１２には、補給器本体５０に接続して洗剤の補給を受けることが可能な受給管４０が備わっている。この受給管４０は洗剤容器１２内部より外部に通じる管であり、外部先端に設けられた受給口フタ４１と、洗剤が一定量になった際にそれを感知し補給をストップさせる満タンセンサー４２が併設されている。また受給口周囲にはパッキンがあり、このパッキンには補給管６０が進入した際に双方を固定できるネジ溝が設けられている。
【００７２】
受給口フタ４１は、受給口のフタであると同時に、満タンセンサー４２の空気孔４３を開閉するのフタの役割も兼ねており、円盤Ａ７５と円盤Ｂ７６がアームによって一体形成されている。円盤Ａ７５は受給口のフタであり、中心部は補給管の先端と組み合わさるようＵ字型の凹部を有し、同部分のフチが受給口のパッキンに接し、通常はスプリングの負勢により受給口を塞ぐようにできている。またその周囲は液体を通すよう枠組みのみで形成されている。一方円盤Ｂ７６は満タンセンサー４２の空気孔４３のフタであり、中心から満タンセンサー４２のボール弁４５を固定する固定バー４６が垂直に突き出している。
【００７３】
満タンセンサー４２は、洗剤容器内に設けられた小さな仕切りの中に、満タン感知用のボール弁４５が入れられたもので、外部へ通じて空気孔４３がある。この満タン感知用ボール弁４５は水に対して浮力のある素材でできており、満タンセンサー４２の外に落ちないよう枠で確保されている。通常は固定バー４６により、空気孔４３に固定され空気孔４３を塞いでいる。
【００７４】
摺洗具を補給器本体５０に装着し、後述する給水レバー５９を下げると、補給管６０の先端が左方向へ伸びると同時に、その先端が受給口フタ４１にあたり、受給口フタ４１が洗剤容器１２内部へ移動し受給口が開口する。補給管６０はそのまま洗剤容器１２内に進入し、このとき、受給口の周囲にあるパッキンを介して受給管４０と補給管６０が密封され内部のみが開通した状態で繋がる。一方で空気孔４３が開放されていることにより容器内外の空気と洗剤の流動が可能になる。洗剤は補給管６０先端の注水孔６１から受給口フタ４１の枠の隙間を通じて容器内部へと浸入し、洗剤の水位が上がると満タンセンサー４２内のボール弁４５が浮力によって空気孔４３方面へ押しやられ、水と空気の流動を遮断し補給が止まるようにできている。
【００７５】
補給器本体５０は、下段が横長にくり抜かれた正面がほぼ正方形の中空体であり、上部に洗剤タンク部５１とその右側底面から左方向へ延びる補給管６０、補給管の左右移動を操作する操作レバー５９、下部の空洞部分５６で構成されている。洗剤タンク部５１の上部には洗剤注入口５２と、脱着可能なフタ５４があり、フタ５４の背面に空気孔５５、さらにタンク部５１前面にはタンク内の水量１００ｍｌ、２００ｍｌ、３００ｍｌを表すメモリがある。またここでは摺洗具は本体中央に横向きにスライド方式に固定されるようになっており、本体のくり抜かれた部分の上下に、摺洗具のU字型凸部２５を受け入れる凹部５３がある。
【００７６】
補給時は摺洗具が動かないように、摺洗具のU字型凸部２５を補給器本体５０の凹部５３に装着する一方、摺洗具台座３１の凹溝４７と補給器本体５０の凸溝をかみ合わせることで保持している。摺洗具を補給器本体５０から取り外す際は、摺洗具のＵ字型凸部２５を外側から内側へ押すことで、スプリングの伸縮によりU字型凸部２５が中へ凹み、脱着が可能になる。
【００７７】
洗剤タンク部５１の右側底面からは補給管６０が左側へ伸びている。この補給管６０は洗剤タンク部５１より延出した管Ａ６５の内部に、これより一回り細い管Ｂ６６が導入されているもので、双方は内部でネジとパッキンにより固定されている。管Ｂ６６の先端には洗剤を注出する注水孔６１が設けられており、反対側は管の口がそのまま開口しているが、通常は洗剤タンク部５１内に据え付けられているパッキンがこの口に密着し、洗剤が補給管６０を通じて外部に漏れないようにできている。この管Ａ６５と管Ｂ６６から成る補給管６０は、管Ｂ６６を回転させることで、左右方向へ伸縮するという仕組みで、管Ｂ６６が左方向へ移動し後部の口がパッキンから離れた際に液体が外部へ流れ出るようになっている。
【００７８】
管Ａ６５の左端には、補給管の伸縮を操作する給水レバー５９と一体化した帯状パーツ６７がかぶさっている。管Ａ６５には一部がらせん状にくり抜かれたらせん孔６８があり、帯状パーツ６７には一部水平にくり抜かれた水平溝６９が設けられている。さらに管Ｂ６６の中程には突起が１個設けられており、この突起は管Ａ６５のらせん孔６８を貫通して帯状パーツ６７の水平溝６９に達している。給水レバーを下げると帯状パーツ６７が下へ半回転する。この時管Ｂ６６の突起が前記らせん孔６８と水平溝６９に沿ってスライドし、管Ｂ６６は半回転すると同時に左方向へ伸びる仕組みになっている。
【００７９】
補給器本体５０に摺洗具を設置し、給水レバー５９を下げると、補給管６０の管Ｂ６６が左方向へ伸び、受給口側のパッキンのネジ溝に沿って進み、さらにこの先端が摺洗具の受給口フタ４１を洗剤容器内部へ押しやり、パッキンを介して受給管４０と補給管６０が密封され内部のみ開通した状態で繋がる。一方で管Ｂ６６の後方の口がタンク５１内のパッキンから離れ、全体の空気と洗剤の流動が可能になり、洗剤タンク部５１から補給管６０を通じて摺洗具側への洗剤の補給が行われる。
【００８０】
補給器本体５０の背面には吸盤取付け用の突起があり、その部分に吸盤を嵌め込み、浴室等の壁面に設置できるようになっている。または別添付のホルダーを用い、シャワーホルダーやタオル掛けのバー等と本体を連結し、ネジ等で固定するといった方法も可能である。
【００８１】
上記構成を有する第４実施形態の洗剤容器付き摺洗具と補給器本体は、以上の説明から理解されるように、同摺洗具の洗剤容器１２内には受給管４０が備えられ、補給器本体５０の補給管６０と接続することにより自動で洗剤の補給が可能である。洗剤の補給は摺洗具を補給器本体５０に挿し給水レバー５９を下げるだけで良く、手軽に簡単に補給が行える。
【００８２】
以下、摺洗具本体、ハンドル１６、操作レバー２２の構成、泡発生装置１３の機能や、脱着可能な摺洗体１１があり吐出ノズル２０が先端の垂直部が摺洗体１１のノズル用孔３０から突出してブラシ毛間に位置していること、洗剤吸い込みノズル２１の先端が、洗剤容器１２の下部に形成された洗剤の常時溜まり部１９に臨んでいること、吐出ノズル２０の先端に泡吐出方向の切替ノズル３６が設けられていることなどは、第１実施形態と同様である。
【００８３】
第４実施形態の洗剤容器付き摺洗具でも、洗剤容器１２内の液体洗剤がふっくらしたクリーム状のミクロ単位の細かな泡となって摺洗部３２を構成する毛束３３aの間から摺洗体の下方、もしくは毛束３３aにまとわりつくように吐出されるため、液体洗剤のまま、或いはミスト状で吐出される場合と異なり、摺洗部３２から遠く離れることがないので、洗剤を不本意に被摺洗物以外にかけてしまうといったロスも生じない。また泡なので洗剤を被摺洗部に無駄なく効率良く馴染ませることができる。
【００８４】
洗剤容器１２内の洗剤は、残り少なくなってくると、少なくとも摺洗具が略水平状態にある時は常時溜まり部１９を常に満たし、この常時溜まり部１９に泡発生装置の吸入口２３が臨んでいるため、残り少なくなった洗剤を常に吸い上げることができ、使い勝手が良い。また球状であることから洗剤容器１２内の液体洗剤の重心が一定し、摺洗時の揺れによって液体洗剤がいたずらに揺れ動くことがなく、快適な摺洗作業が行える。
【００８５】
また吐出ノズル２０が摺洗体１１の前方など外部に突出していないので、浴槽の内底隅部を摺洗する場合にも邪魔にならず、その際に摺洗具の角度を変えたり、持ち替えたりすることも不要となり、摺洗作業を能率良く行うことができる。
【００８６】
吐出ノズル２０先端の切替ノズル３６によって、泡の吐出方向を摺洗部の下方と摺洗部の毛束３３aにまとわりつくようにできるため、洗剤を添付しにくい天井や浴槽の内側といった場所でも、楽な角度で摺洗具のレバー２２を操作し、摺洗部の毛束３３aに保たれた泡で洗浄ができる。特に洗剤が残り少なくなった場合にその効果を発揮する。
【００８７】
また第４実施形態においても、第２実施形態のようにスクイズタイプの泡発生装置を使用し、吐出ノズル２０の先端を摺洗部の台座３１の泡吐出用孔に直結させ、ノズルの先端が台座３１の外部に突出しないようにすることも可能である。
【００８８】
摺洗具には１回の清掃に必要な程度の洗剤が保有できればよく、本体が軽く作業が楽である。
【００８９】
摺洗具へ洗剤の補充は、摺洗具を補給器本体５０に装着し給水レバー５９を下げるだけでよく、洗剤が一定量になると自動休止するので、そのまま放置しておいても次回使用時までに洗剤が満タンになっているという仕様なので、補充の煩わしさを回避している。
【００９０】
補給器本体５０のタンク部５１へ洗剤を継ぎ足す際は、詰め替え用として市販されている洗剤の一般的な容量が全て入る大きさにタンクが設計されており、容器に余裕があり上部に大き目のフタも設けられているので継ぎ足しも楽である。
【００９１】
タンク部５１の正面には水量を表すメモリがついており、洗剤を水道水と混ぜ合わせて使用する際などの調合にも役立つ。
【００９２】
摺洗具と補給器本体は、双方を一緒にした際に収まりの良い形に設計してあるので両者の整理整頓に好適である。
【００９３】
第５実施形態の洗剤容器付き摺洗具は、第４実施形態と同様、洗剤容器１２内に受給管４０を備え、洗剤を補給できる補給器本体５０と接続することで自動で洗剤を補充できる仕組みを持ち合わせた仕様であるが、第４実施形態と比べ補給器本体５０の補給管６０の構造が単純化されており、給水レバーをもたない。図２０は本発明の第５実施形態を示す洗剤容器付き摺洗具を専用洗剤補給器に装着した状態の正面図、図２１は図２０の内部図、図２２は洗剤補給器本体の正面図、図２３は洗剤容器付き摺洗具の側面図、図２４は同摺洗具の平面図、図２５は洗剤補給器本体の右側面図、また図２６は受給管と補給管の先端の拡大図、図２７は受給管に補給管の先端を装着した際の拡大図である。
【００９４】
第５実施形態の洗剤容器付き摺洗具は、前記実施形態と同様上部に操作用のハンドル１６を備えた本体１０と、本体１０の底面に脱着可能に取付けられた摺洗体１１とから構成されている。本体１０は樹脂ケースからなり、内部に洗剤容器１２と、これに付設されたミクロ単位泡発生装置１３を備えている。
【００９５】
本体１０も同様に、アイロンの如き外形を有した樹脂ケースであって、上部に一体形成されたハンドル１６を有している。ハンドル１６は、片手で掴むのに適するように、本体１０の前面上部から後方に延出する略Ｌ状に形成されており、その付け根の左前方には、ミクロ単位の泡発生装置１３の操作部が突出する開口部１７が設けられている。
【００９６】
洗剤容器１２も同様に、後部が略々球形に形成された中空体であり、本体１０内の中央部から後部にかけて配置され固定されている。洗剤容器１２の後部には、本体１０を貫通して洗剤受給管４０が設けられており、補給器本体５０と接続することで洗剤が補給される仕組みである。洗剤容器１２の下部は、全体が球形に形成されていることにより必然的に内底に、摺洗部が略水平状態にある時に残量少となった洗剤が溜まる洗剤溜まり部１８を有し、さらにその中心部付近に、泡発生装置の吸入口２３の先端が挿入できる大きさの窪みである常時溜まり部１９がある。
【００９７】
ミクロ単位泡発生装置１３も同様に、洗剤容器１２の前部に取付けられ、この泡発生装置１３は、洗剤容器１２の前側に水平に取付けられた本体１５と、本体１５から前方へ逆Ｌ状に突出した洗剤吐出口としての吐出ノズル２０と、本体１５から後方に延出し前記洗剤常時溜まり部１９に臨んでいる洗剤吸い込みノズル２１と、洗剤操作部であるレバー２２を備えている。
【００９８】
泡発生装置１３本体１５の機能や、操作レバー２２がハンドル１６を片手で掴んだ状態でいずれかの指が届く位置にあること、脱着可能な摺洗体１１があり、泡吐出ノズル２０の先端が摺洗体１１の台座３１を貫通して摺洗部３２の毛束３３a間に位置していること、泡吐出ノズル２０の先端には切替ノズル３６が設けられていること、またスクイズタイプの泡発生装置を用い摺洗具の台座３１から直接泡を吐出させることができる点なども、これまでの実施形態と同様である。
【００９９】
また同摺洗具には第４実施形態と同様、補給器本体５０に装着した際、摺洗具を本体に固定するツメ部となり得るよう、本体１０の側面に、スプリングにより内外への伸縮運動が可能なU字型凸部２５が設けられている。加えて摺洗体台座３１の側面にも、補給器本体５０の凸溝５７が噛み合うように設計された凹溝４７がある。
【０１００】
第５実施形態の洗剤容器付き摺洗具の洗剤容器１２にも、第４実施形態と同様の受給管４０が備わっている。この受給管４０は洗剤容器１２内部より外部に通じる管であり、外部先端に設けられた受給口フタ４１と、洗剤が一定量になった際にそれを感知し補給をストップさせる満タンセンサー４２が併設されている。また受給口の周囲にはパッキンが設けられている。
【０１０１】
受給口フタ４１は、受給口のフタであると同時に、満タンセンサー４２の外部へ通ずる空気孔４３を開閉するのフタの役割も兼ねており、円盤Ａ７５と円盤Ｂ７６がアームによって一体形成されている。円盤Ａ７５は受給口のフタであり、中心部は補給管の先端と組み合わさるようＵ字型の凹部を有し、同部分のフチが受給口のパッキンに接し、通常はスプリングの負勢により受給口を塞ぐようにできている。またその周囲は液体を通すよう枠組みのみで形成されている。一方円盤Ｂ７６は満タンセンサー４２の空気孔４３のフタであり、中心から満タンセンサー４２のボール弁４５を固定する固定バー４６が垂直に突き出している。
【０１０２】
満タンセンサー４２は、洗剤容器内に設けられた小さな仕切りの中に、満タン感知用のボール弁４５が入れられたもので、外部へ通じて空気孔４３がある。この満タン感知用ボール弁４５は水に対して浮力のある素材でできており、満タンセンサー４２の外に落ちないよう枠で確保されている。通常は固定バー４６により、空気孔４３に固定され空気孔４３を塞いでいる。
【０１０３】
摺洗具を補給器本体５０に装着すると、受給管４０の受給口フタ４１が補給管６０の先端部分にあたって洗剤容器内部に押しやられ、補給管６０の先端は洗剤容器１２内に進入し、受給管４０と補給管６０がパッキンを介して密封され内部のみが開通した状態で繋がる。一方で空気孔４３が開放されていることにより、容器内外の空気の流動が可能になり、洗剤の補給が可能になる。洗剤は補給管６０先端の注水孔６１から受給口フタ４１の枠の隙間を通じて容器内部へと浸入し、洗剤の水位が上がると満タンセンサー４２内のボール弁４５が浮力によって空気孔４３方面へ押しやられ、水と空気の流動を遮断し補給が止まるようにできている。
【０１０４】
補給器本体５０は、下段が横長にくり抜かれた正面がほぼ正方形の中空体であり、上部に洗剤タンク部５１とその右側底面から左方向へ延びる補給管６０、下部の空洞部分５６で構成され、第４実施形態とは異なり、給水レバーは備わっていない。また洗剤タンク部５１の上部には洗剤注入口５２と、脱着可能なフタ５４があり、フタ５４の背面に空気孔５５、さらにタンク部５１前面にタンク内の水量１００ｍｌ、２００ｍｌ、３００ｍｌを表すメモリがある。またここでは摺洗具は本体中央に横向きにスライド方式に固定されるようになっており、本体のくり抜かれた部分の上下に、摺洗具のU字型凸部２５を受け入れる凹部５３がある点は第４実施形態と同じである。
【０１０５】
補給時は摺洗具が動かないように、摺洗具のU字型凸部２５を補給器本体５０の凹部５３に装着する一方、摺洗具台座３１の凹溝４７と補給器本体５０の凸溝をかみ合わせることで保持している。摺洗具を補給器本体５０から取り外す際は、摺洗具のＵ字型凸部２５を外側から内側へ押すことで、スプリングの伸縮によりU字型凸部２５が中へ凹み、脱着が可能になる。
【０１０６】
洗剤タンク部５１の右側底面からは補給管６０が左側へ伸びており、その先端の周囲には洗剤を注出する注水孔６１が複数設けられている。その注水孔６１がある補給管６０の外輪には、注水孔６１密着するようにパッキンを有した円筒状のキャップ６２が設けられており、補給が行われない時はこの注水孔キャップ６２が常に注水孔６１を密封し洗剤が外部に漏れないようにしている。
【０１０７】
補給器本体５０に摺洗具が設置されると、摺洗具受給口の周囲にキャップ６２が当たり、キャップ６２がスプリングの伸縮により補給管６０に沿って右側へスライドし、補給管６０の先端のみが洗剤容器１２内に進入する。このとき受給管４０と補給管６０が密封された状態で繋がると同時に、洗剤容器１２内部でむき出しになった補給管先端の注水孔６１より洗剤が流出する。摺洗具を補給器本体から外すと、補給管６０の先端はスプリングの作用により再びキャップ６２で覆われ密封される。
【０１０８】
補給器本体５０の背面には吸盤取付け用の突起があり、その部分に吸盤を嵌め込み、浴室等の壁面に設置できるようになっている。または別添付のホルダーを用い、シャワーホルダーやタオル掛けのバー等と本体を連結し、ネジ等で固定するといった方法も可能である。
【０１０９】
上記構成を有する第５実施形態の洗剤容器付き摺洗具と補給器本体は、以上の説明から理解されるように、第４実施形態と同様、受給管４０と補給管６０を有し、摺洗具を補給器本体５０に装着することで自動で洗剤の補給が可能である。補給は摺洗具を補給器本体５０に挿すだけで良く、手軽に簡単に補給が行える。
【０１１０】
以下、摺洗具本体、ハンドル１６、操作レバー２２の構成、泡発生装置１３の機能や、脱着可能な摺洗体１１があり吐出ノズル２０が先端の垂直部が摺洗体１１のノズル用孔３０から突出してブラシ毛間に位置していること、洗剤吸い込みノズル２１の先端が、洗剤容器１２の下部に形成された洗剤の常時溜まり部１９に臨んでいること、吐出ノズル２０の先端に泡吐出方向の切替ノズル３６が設けられていることなどは、これまでの実施形態と同様である。
【０１１１】
第５実施形態の洗剤容器付き摺洗具でも、洗剤容器１２内の液体洗剤がふっくらしたクリーム状のミクロ単位の細かな泡となって摺洗部３２を構成する毛束３３aの間から摺洗体の下方、もしくは毛束３３aにまとわりつくように吐出されるため、液体洗剤のまま、或いはミスト状で吐出される場合と異なり、摺洗部３２から遠く離れることがないので、洗剤を不本意に被摺洗物以外にかけてしまうといったロスも生じない。また泡なので洗剤を被摺洗部に無駄なく効率良く馴染ませることができる。
【０１１２】
洗剤容器１２内の洗剤は、残り少なくなってくると、少なくとも摺洗具が略水平状態にある時は常時溜まり部１９を常に満たし、この常時溜まり部１９に泡発生装置の吸入口２３が臨んでいるため、残り少なくなった洗剤を常に吸い上げることができ、使い勝手が良い。また球状であることから洗剤容器１２内の液体洗剤の重心が一定し、摺洗時の揺れによって液体洗剤がいたずらに揺れ動くことがなく、快適な摺洗作業が行える。
【０１１３】
また吐出ノズル２０が摺洗体１１の外部に突出していないので、浴槽の内底隅部を摺洗する場合にも邪魔にならず、その際に摺洗具の角度を変えたり、持ち替えたりすることも不要となり、摺洗作業を能率良く行うことができる。
【０１１４】
吐出ノズル２０先端の切替ノズル３６によって、泡の吐出方向を摺洗部の下方と摺洗部の毛束３３aにまとわりつくようにできるため、洗剤を添付しにくい天井や浴槽の内側といった場所でも、楽な角度で摺洗具のレバー２２を操作し、摺洗部の毛束３３aに保たれた泡で洗浄ができる。特に洗剤が残り少なくなった場合にその効果を発揮する。
【０１１５】
また第５実施形態においても、第２実施形態のようにスクイズタイプの泡発生装置を使用し、摺洗部の台座31に設けられた泡吐出用孔から泡を吐出し、ノズルの突出部をなくすことも可能である。
【０１１６】
摺洗具には１回の清掃に必要な程度の洗剤が保有できればよく、本体が軽く作業が楽である。
【０１１７】
摺洗具へ洗剤の補充は、摺洗具を補給器本体５０に装着するだけでよく、洗剤が一定量になると自動休止するので、そのまま放置しておいても次回使用時までに洗剤が満タンになっているという仕様なので、補充の煩わしさを回避している。
【０１１８】
補給器本体５０のタンク部５１へ洗剤を継ぎ足す際は、詰め替え用として市販されている洗剤の一般的な容量が全て入る大きさにタンクが設計されており、容器に余裕があり上部に大き目のフタも設けられているので継ぎ足しも楽である。またタンク部５１の正面には水量を表すメモリがついており、洗剤を水道水と混ぜ合わせて使用する際などの調合にも役立つ。
【０１１９】
摺洗具と補給器本体は、双方を一緒にした際に収まりの良い形に設計してあるので両者の整理整頓に好適である。
【０１２０】
第６実施形態の洗剤容器付き摺洗具と補給器本体は、第４・第５実施形態と同様、摺洗具の洗剤容器１２に受給管４０を備え、補給器本体５０と接続することで自動で洗剤を補充できる仕様であるが、補給管６０と受給管４０の双方の構造をさらに単純化し、外形をアレンジしている。さらに満タンの感知方法が異なる。図２８は第６実施形態を示す洗剤容器付き摺洗具を補給器本体に装着した状態の正面図、図２９は洗剤容器付き摺洗具の正面図、図３０は洗剤の満タンを感知する袋、図３１は前記袋を洗剤容器内に装着した図、図３２は同洗剤容器付き摺洗具を専用洗剤補給器に装着した状態の斜視図である。
【０１２１】
第６実施形態の洗剤容器付き摺洗具は、本体１０と本体１０の下部に脱着可能に取り付けられた摺洗体１１とから構成されている。本体１０の内部には洗剤容器１２とこれに付設されたミクロ単位の泡発生装置１３、さらに洗剤容器１２の内側側面より外部に通じて洗剤受給管４０を備えている。
【０１２２】
本体１０は略円筒形を有した樹脂ケースであって、この本体１０は把持部を兼ねている。側面の下部にはミクロ単位の泡発生装置１３の操作部が突出する開口部１７が設けられている。
【０１２３】
洗剤容器１２は本体１０内のほぼ中央に配置されている。洗剤容器１２の斜め下部には残量少となった洗剤が溜まる洗剤溜まり部１８と常時溜まり部１９を有している。
【０１２４】
ミクロ単位泡発生装置１３は洗剤容器１２の下部に取り付けられている。この泡発生装置１３は洗剤容器１２の下部に垂直に取り付けられた本体１５と、本体１５から下部へ突出した洗剤吐出口としての吐出ノズル２０と、洗剤吐出操作部である操作レバー２２とを備えている。吸い込みノズル２１は泡発生装置本体１５から上部に延出し、U字型に折れ曲がって、その先端２１は常時溜まり部１９に臨んでいる。
【０１２５】
泡発生装置本体１５の機能や、操作レバー２２がハンドル１６を片手で掴んだ状態でいずれかの指が届く位置にあること、脱着可能な摺洗体１１があり、泡吐出ノズル２０の先端が摺洗体１１の台座３１を貫通して摺洗部３２の毛束３３a間に位置していること、泡吐出ノズルの先端には切替ノズル３６が設けられていることなどはこれまでの実施形態と同様である。
【０１２６】
第６実施形態の洗剤容器付き摺洗具の洗剤容器１２には、第４・第５実施形態とは違う受給管４０が備わっている。この受給管４０の外部側の先端には、外部に向けて突起を有したナベブタ状の弁７１あり、内側よりスプリングで受給管の口に固定され、通常は容器内の洗剤が漏れないようにできている。
【０１２７】
また同洗剤容器１２には、液体洗剤を保有する為の空間と、泡吐出運動によって泡発生装置１３から洗剤容器内へ吐出される空気を完全に隔離する為の袋７２が導入されている。この袋７２は何らかの化学繊維で作られ、袋の２箇所が開口しており、それぞれの口がリング状のパーツに一体形成されている。リングＡ７３は中心に泡発生装置の付け根部分を差し込む穴があり、その周囲に沿って袋の口が一体形成され、さらにその周囲は空気が通るよう格子状になっている。リングＢ７４は一本の単純なリングであり、そのリングに沿って袋の口が一体形成され、このリングは受給管４０の直径に完全に装着できる形になっている。
【０１２８】
洗剤容器１２内では、上記袋７２は泡発生装置１３本体１５の図示されない空気孔と受給管４０の間に位置するよう組み込まれている。リングＡ７３は泡発生装置本体１５と洗剤容器１２内に設けられた凹凸に噛み合わさるように組み込まれ、三者は同時にネジで固定されている。リングＢ７４は受給管４０と直結するよう装着され、注入された洗剤はダイレクトに袋７２に溜められる。洗剤容器１２に空気孔７０があるため、注入に応じて袋７２が膨らみ、満タンになると袋７２が一杯になるので補給がストップする。続いて、泡吐出運動の後泡吐出装置を通して内部へ送り込まれてくる空気は、洗剤容器１２内で袋７２の外側すなわち液体と隔離された状態で溜まっていく為、洗剤容器１２内の空気の流動が可能で泡吐出運動の持続が可能になっている。
【０１２９】
受給管４０の先端を補給器本体５０に設けられた補給管６０に接続すると、受給管４０のナベブタ状弁７１が補給管６０の先端にあたり管の内側へずれ、受給管４０と補給管６０が密封された状態で繋がり内部のみが開通し、洗剤の注入がなされる。上記の通り袋７２が一杯になると満タンになるため注入が自然に止まる。摺洗具を補給器本体５０から外すと、受給管４０補給管６０双方の弁が閉じられ、内部の洗剤が漏れないようにできている。
【０１３０】
第６実施形態の洗剤容器付き摺洗具にも、同摺洗具への洗剤の自動補給が可能な補給器本体５０が設けられている。この補給器本体５０は、略球冠をした中空体であり、中心に上記摺洗具が縦に挿入できるよう嵌合凹部７７を有した構造になっている。本体の内部は二層に仕切られており、上部が洗剤保管容器５１、その上部に洗剤注入口５２と脱着可能なフタ５４、またフタ５４に空気孔７０が設けられ、洗剤容器１２の内側最下部より嵌合凹部７７にかけて補給管６０が備わっている。洗剤保管容器５１の下部は空洞である。
【０１３１】
補給器本体の嵌合凹部７７の直径は摺洗具本体の直径とほぼ同じ大きさに作られており、摺洗具を嵌合凹部７７に縦に差し込むことで摺洗具と補給器本体５０が固定される。またこのとき受給管４０の先端と補給管６０の先端も装着固定される。
【０１３２】
補給管６０の先端にはボール弁６３があり、通常は内側よりスプリングで固定され補給管６０の先端を塞いでいる。摺洗具を挿し込み補給管６０の先端に受給管４０が装着されると、受給管４０のナベブタ状弁７１の突起によって補給管６０のボール弁６３が内部へ押し込まれ、受給管４０と補給管６０双方がパッキンを介して密封され内部のみ開通した状態で繋がり、洗剤の補給がなされる。摺洗具を補給器本体５０から外すと、再びスプリングの負勢によりボール弁６３が補給管の先端を覆い閉じられる。又この受給管４０と補給管６０の弁とスプリングは、ゴムなどの弾性素材を用い、より簡単な構成にすることも可能である。
【０１３３】
上記構成を有する第６実施形態の洗剤容器付き摺洗具と補給器本体は、以上の説明から理解されるように、洗剤容器１２の満タンセンサー４２を削除し、袋７２を用いることで単純明快な方法で満タンの感知が行えるようになっている。これにより受給管４０と補給管６０の先端部分もより単純な構造になっている。補給管６０への接続は、摺洗具を補給器本体５０に挿すだけで良く、手軽に簡単に補給が行える。
【０１３４】
同補給器本体５０は卓上に置くことが可能で、さらに底面に吸盤を取り付け床面により強力に固定することも可能である。
【０１３５】
以下、摺洗具本体、ハンドル１６、操作レバー２２の構成、泡発生装置１３の機能や、脱着可能な摺洗体１１があり吐出ノズル２０が先端の垂直部が摺洗体１１のノズル用孔３０から突出してブラシ毛間に位置していること、洗剤吸い込みノズル２１の先端が、洗剤容器１２の下部に形成された洗剤の常時溜まり部１９に臨んでいること、吐出ノズル２０の先端に泡吐出方向の切替ノズル３６が設けられていることなどは、これまでの実施形態と同様である。
【０１３６】
第６実施形態の洗剤容器付き摺洗具でも、ふっくらしたミクロ単位の泡が摺洗体の毛束３３a間から吐出され洗剤を不本意に被摺洗物以外にかけてしまうといったロスが生じないこと、泡吐出装置の洗剤吸入口が常時溜まり部１９に臨んでいることにより洗剤の吸い上げが常に容易なこと、洗剤容器１２が球状であるため重心が一定であること、吐出ノズルが突出していないので邪魔にならないこと、切替ノズル３６によって泡を毛束３３aにまとわりつかせることが可能であり洗剤を添付しにくい場所でも泡を使った洗浄ができることなど、摺洗具を使用した際の効果などについてはこれまでの実施形態と同様である。
【０１３７】
また第６実施形態においても、第２実施形態のようにスクイズタイプの泡発生装置を使用し、摺洗部の台座３１に設けられた泡吐出用孔から泡を吐出し、ノズルの突出部をなくすことも可能である。
【０１３８】
摺洗具には１回の清掃に必要な程度の洗剤が保有できればよく、本体が軽く作業が楽である。
【０１３９】
摺洗具へ洗剤の補充は、摺洗具を補給器本体５０に装着するだけでよく、洗剤が一定量になると自動休止するので、そのまま放置しておいても次回使用時までに洗剤が満タンになっているという仕様なので、補充の煩わしさを回避している。
【０１４０】
洗剤の継ぎ足しは、補給器本体５０の上部のフタから注ぐことができ楽である。
【０１４１】
摺洗具と補給器本体は、双方を一緒にした際に収まりの良い形に設計してあるので両者の整理整頓に好適である。
【０１４２】
なお、上記実施形態の摺洗具においては、摺洗部にブラシ毛が用いられているが、摺洗部にスポンジが用いられたり、亀の子たわしのようなものが用いられてもよく、被摺洗部を摺洗できる素材であれば特にその材質が問われるものではない。
【０１４３】
洗剤容器やフタも、上記実施形態のような形状にこだわることなく任意の形状が採用される。洗剤容器はいわゆるスクーイズボトル的なものとしても良い。洗剤容器と摺洗体との連結手段も実施形態のようなものに限定されるものではない。
【０１４４】
洗剤容器内の間仕切りも任意の形状が採用される。
【０１４５】
ミクロ単位泡発生装置や吐出ノズルもこの実施形態のものに限定されるものではない。
【０１４６】
洗剤吸入ノズルや洗剤吐出ノズル、泡吐出方向切替ノズルの組み込み方も種々のものが採用される。
【０１４７】
洗剤補給器本体の形状や摺洗具の保持方式も上記実施形状に限定されるものではない。
【０１４８】
洗剤補給管や受給管の構成や部品、また満タン感知用のボール弁、袋においても、上記の実施形態に限定されるものではなく、任意の形状、素材が採用される。
【０１４９】
上記実施形態では、洗剤吐出操作部としてレバー方式やプッシュボタン方式が採用されているが、その方式も限定されるものではない。
【０１５０】
補給器本体の設置方法として、吸盤やホルダーを用いる方法を採用しているが、任意の方式、形状が採用される。
【０１５１】
上記実施形態における、補給器本体の洗剤保管容器部分と、摺洗具洗剤容器部分は、洗剤の残量が見えるように透明素材であることが好ましい。
【０１５２】
ミクロ単位泡発生装置は、摺洗具から取り外し、分解でき、洗浄や部品の交換が可能である。
【図面の簡単な説明】
【０１５３】
【図１】本発明の第1実施形態を示す洗剤容器付き摺洗具の斜視図である。
【図２】同摺洗具の側面図である。
【図３】同摺洗具の平面図である。
【図４】同摺洗具の底面図である。
【図５】同摺洗具の洗剤吐出ノズル先端と切替ノズルの拡大図である。
【図６】図５の切替ノズルを９０度捻った状態の図である。
【図７】本発明の第２実施形態を示す洗剤容器付き摺洗具の左側面図である。
【図８】同摺洗具の右側面図である。
【図９】同摺洗具の底面図である。
【図１０】本発明の第３実施形態を示す洗剤容器付き摺洗具の斜視図である。
【図１１】同摺洗具の側面図である。
【図１２】本発明の第４実施形態を示す洗剤容器付き摺洗具を            専用洗剤補給器に装着した状態の正面図である。
【図１３】図１２の内部図である。
【図１４】同洗剤補給器本体の正面図である。
【図１５】同実施形態の洗剤容器付き摺洗具の側面図である。
【図１６】同摺洗具の平面図である。
【図１７】洗剤補給器本体の右側面図である。
【図１８】受給管と補給管の先端の拡大図である。
【図１９】受給管に補給管の先端を装着した際の拡大図である。
【図２０】本発明の第５実施形態を示す洗剤容器付き摺洗具を            専用洗剤補給器に装着した状態の正面図である。
【図２１】図２０の内部図である。
【図２２】同洗剤補給器本体の正面図である。
【図２３】同実施形態の洗剤容器付き摺洗具の側面図である。
【図２４】同摺洗具の平面図である。
【図２５】洗剤補給器本体の右側面図である。
【図２６】受給管と補給管の先端の拡大図である。
【図２７】受給管に補給管の先端を装着した際の拡大図である。
【図２８】本発明の第６実施形態を示す洗剤容器付き摺洗具を            専用洗剤補給器に装着した状態の正面内部図である。
【図２９】同摺洗具の側面図である。
【図３０】洗剤の満タンを感知する袋の図である。
【図３１】前記袋を洗剤容器内に装着した図である。
【図３２】同洗剤容器付き摺洗具を専用洗剤補給器に装着した状態の斜視図である。
【符号の説明】
【０１５４】
１０  摺洗具本体                      ５７  摺洗具保持用凸溝
１１  摺洗体                          ５８  傾斜溝
１２  洗剤容器                        ５９  給水レバー
１３  ミクロ単位泡発生装置            
１４  キャップ付き開口部              ６０  補給管
１５  泡発生装置本体                  ６１  補給管先端の注水孔
１６  ハンドル                        ６２  注水孔キャップ
１７  開口部                          ６３  補給管先端ボール弁
１８  溜まり部                        
１９  常時溜まり部                    ６５  管Ａ
６６  管Ｂ
２０  吐出ノズル                      ６７  帯状パーツ
２１  吸い込みノズル                  ６８  らせん孔
２２  操作レバー                      ６９  水平溝
２３  吸入口                          
２４  吐出口キャップ                  ７０  洗剤容器空気孔
２５  U字型凸部                      ７１  ナベブタ弁
２６  突出部（ボタン）                ７２  袋
２７  間仕切り                        ７３  リングＡ
２８  連結体                          ７４  リングＢ
２９  スプリング                      ７５  円盤Ａ
７６  円盤Ｂ
３０  摺洗体のノズル用孔              ７７  タテ型タイプ補給管本体嵌合凹部
３１  台座                            
３２  摺洗部                            
３３  毛束                              
３４  フック                            
３５  吐出ノズルの泡吐出用孔            
３６  切替ノズル                        
３７  切替ノズルの泡吐出用孔            
３８  台座泡吐出用孔                    
４０  洗剤受給管                        
４１  受給口フタ                        
４２  満タンセンサー                    
４３  満タンセンサー空気孔              
４５  満タンセンサーボール弁            
４６  満タンセンサーボール弁固定バー    
４７  摺洗具台座の凹溝                  
４９  スタンドタイプ摺洗具本体の凹溝    
５０  補給器本体                        
５１  洗剤タンク部                      
５２  洗剤注入口                        
５３  摺洗具保持用凹部                  
５４  注入口フタ                        
５５  洗剤保管容器空気孔                
５６  空洞                              
【図１】
2009034499.tif 000003
【図２】
2009034499.tif 000004
【図３】
2009034499.tif 000005
【図４】
2009034499.tif 000006
【図５】
2009034499.tif 000007
【図６】
2009034499.tif 000008
【図７】
2009034499.tif 000009
【図８】
2009034499.tif 000010
【図９】
2009034499.tif 000011
【図１０】
2009034499.tif 000012
【図１１】
2009034499.tif 000013
【図１２】
2009034499.tif 000014
【図１３】
2009034499.tif 000015
【図１４】
2009034499.tif 000016
【図１５】
2009034499.tif 000017
【図１６】
2009034499.tif 000018
【図１７】
2009034499.tif 000019
【図１８】
2009034499.tif 000020
【図１９】
2009034499.tif 000021
【図２０】
2009034499.tif 000022
【図２１】
2009034499.tif 000023
【図２２】
2009034499.tif 000024
【図２３】
2009034499.tif 000025
【図２４】
2009034499.tif 000026
【図２５】
2009034499.tif 000027
【図２６】
2009034499.tif 000028
【図２７】
2009034499.tif 000029
【図２８】
2009034499.tif 000030
【図２９】
2009034499.tif 000031
【図３０】
2009034499.tif 000032
【図３１】
2009034499.tif 000033
【図３２】
2009034499.tif 000034